(57)【要約】【課題】出発地点と目標時間を特定するだけで、目的地点を特定しなくても、出発地点から目標時間内に到着できる施設を検索する。【解決手段】複数メッシュ間のおよその移動時間を示すメッシュ間所要時間を記憶したメッシュ間所要時間記憶部２５と、施設データ記憶部２３とを備える。リクエスト処理部１１は、複数のメッシュのうちのいずれかのメッシュ内の出発地点及び目標時間の入力を受け付ける。メッシュ検索部１３は、メッシュ間所要時間記憶部２５を参照して、出発地点の属するメッシュからのメッシュ間所要時間が目標時間以内の複数の目標メッシュを抽出する。リクエスト処理部１１は、施設データ記憶部２３を参照して、複数の目標メッシュ内の施設を抽出し、抽出された施設を出力する。【選択図】図１
2010236869.tif 000002
【特許請求の範囲】
【請求項１】
地図を複数のメッシュに区切ったときの前記複数メッシュ間のおよその移動時間を示すメッシュ間所要時間を記憶したメッシュ間所要時間記憶手段と、
前記複数のメッシュのうちのいずれかのメッシュ内の出発地点及び目標時間の入力を受け付ける入力手段と、
前記メッシュ間所要時間記憶手段を参照して、前記出発地点の属するメッシュからのメッシュ間所要時間が前記目標時間以内の複数の目標メッシュを抽出するメッシュ抽出手段と、
施設の所在地データを記憶する施設データ記憶手段と、
前記施設データ記憶手段を参照して、前記複数の目標メッシュ内の施設を抽出する施設抽出手段と、
前記抽出された施設を出力する出力手段と、を備える目標時間内に到達可能な施設を検索する装置。
【請求項２】
道路交通情報を参照して、前記出発地点が属するメッシュ内の仮出発地点から、前記出発地点が属するメッシュから互いに異なる方角に存在する複数のサンプリング地点までのルート検索を行って、前記ルート検索実行時における前記仮出発地点から前記複数のサンプリング地点までの所要時間を算出するルート検索エンジンと、
前記仮出発地点から前記複数のサンプリング地点までの所要時間に基づいて、前記出発地点が属するメッシュからの方角別の補正係数を算出する補正手段と、をさらに備え、
前記メッシュ抽出手段は、前記方角別の補正係数を用いて前記出発地点が属するメッシュからのメッシュ間所要時間を補正して、補正後のメッシュ間所要時間に基づいて前記目標メッシュを抽出する、請求項１記載の目標時間内に到達可能な施設を検索する装置。
【請求項３】
前記メッシュ間所要時間記憶手段には、平日・土曜日・日曜日・祝日の日種別及び時間帯別のメッシュ間所要時間が記憶されていて、
前記メッシュ抽出手段は、前記入力手段が入力を受け付けたときと対応するメッシュ間所要時間を用いて、前記目標メッシュを抽出する、請求項１記載の目標時間内に到達可能な施設を検索する装置。
【請求項４】
前記複数のメッシュでは、予め一つの代表地点が定められていて、
各代表地点間のルート検索を行って、代表地点間の所要時間を算出するルート検索エンジンをさらに備え、
前記代表地点間の所要時間を前記メッシュ間所要時間として前記メッシュ間所要時間記憶手段に記憶する、請求項１〜３のいずれかに記載の目標時間内に到達可能な施設を検索する装置。
【請求項５】
前記複数のメッシュ内の各代表地点は、それぞれのメッシュの中心点である、請求項４記載の目標時間内に到達可能な施設を検索する装置。
【請求項６】
前記複数のメッシュは、それぞれの範囲が緯度及び経度に基づいて定められていて、
前記施設の所在地データは緯度及び経度で定められていて、
前記施設抽出手段は、前記メッシュ及び前記施設の所在地データの緯度及び経度を用いて抽出する、請求項１〜５のいずれかに記載の目標時間内に到達可能な施設を検索する装置。
【請求項７】
地図を複数のメッシュに区切ったときの前記複数メッシュ間のおよその移動時間を示すメッシュ間所要時間をメッシュ間所要時間記憶手段に記憶するステップと、
したメッシュ間所要時間記憶手段と、
前記複数のメッシュのうちのいずれかのメッシュ内の出発地点及び目標時間の入力を受け付けるステップと、
前記メッシュ間所要時間記憶手段を参照して、前記出発地点の属するメッシュからのメッシュ間所要時間が前記目標時間以内の複数の目標メッシュを抽出するステップと、
施設の所在地データを記憶する施設データ記憶手段を参照して、前記複数の目標メッシュ内の施設を抽出するステップと、
前記抽出された施設を出力するステップと、を行う目標時間内に到達可能な施設を検索する方法。
【請求項８】
目標時間内に到達可能な施設を検索するためのコンピュータプログラムであって、
コンピュータに、
地図を複数のメッシュに区切ったときの前記複数メッシュ間のおよその移動時間を示すメッシュ間所要時間をメッシュ間所要時間記憶手段に記憶するステップと、
前記複数のメッシュのうちのいずれかのメッシュ内の出発地点及び目標時間の入力を受け付けるステップと、
前記メッシュ間所要時間記憶手段を参照して、前記出発地点の属するメッシュからのメッシュ間所要時間が前記目標時間以内の複数の目標メッシュを抽出するステップと、
施設の所在地データを記憶する施設データ記憶手段を参照して、前記複数の目標メッシュ内の施設を抽出するステップと、
前記抽出された施設を出力するステップと、を実行させるコンピュータプログラム。
【発明の詳細な説明】
【技術分野】
【０００１】
本発明は、施設検索技術に関し、特に目標とする時間以内に到着可能な施設を検索する技術に関する。
【背景技術】
【０００２】
従来、出発地及び目的地を指定すると、出発地から目的地までのルート及び所要時間を提供するルート検索システムが実用化されている。このルート検索システムは、様々なナビゲーションシステムで広く利用されている。
【０００３】
ここで、特許文献１には、一つの出発地エリアから複数の目的地エリアまでの経路を予めエリアルートネットワークとして計算しておき、運転時に車両の出発地に対応した出発地エリアルートネットワークを用いて経路検索を行うことが記載されている。
【先行技術文献】
【特許文献】
【０００４】
【特許文献１】特開平９−２１８０４７号公報
【発明の概要】
【発明が解決しようとする課題】
【０００５】
しかしながら、上述した従来技術は、いずれも、出発地点と目的地点とを指定して、その２点間のルート検索を行って、所要時間を算出するものである。つまり、必ず出発地点及び目的地点を指定しなければ、所要時間を算出することができない。
【０００６】
一方で、例えば、ゴルフをしたい人が、特定のゴルフ場ではなく、自宅から２時間以内で到着できるゴルフ場を探すような場合、従来のナビゲーションシステムではこれを行うことができない。なぜならば、目的地点が具体的に定められてないので、そのままでは所要時間を算出できない。仮に、候補となり得るすべてのゴルフ場についてルート検索を行うとすれば、膨大な時間を必要とし、実用的な時間内で行うことはできない。
【０００７】
そこで、本発明の目的は、出発地点と目標時間を特定するだけで、目的地点を特定しなくても、出発地点から目標時間内に到着できる施設を検索するための技術を提供することである。
【課題を解決するための手段】
【０００８】
本発明の一つの実施態様に従う目標時間内に到達可能な施設を検索する装置は、地図を複数のメッシュに区切ったときの前記複数メッシュ間のおよその移動時間を示すメッシュ間所要時間を記憶したメッシュ間所要時間記憶手段と、前記複数のメッシュのうちのいずれかのメッシュ内の出発地点及び目標時間の入力を受け付ける入力手段と、前記メッシュ間所要時間記憶手段を参照して、前記出発地点の属するメッシュからのメッシュ間所要時間が前記目標時間以内の複数の目標メッシュを抽出するメッシュ抽出手段と、施設の所在地データを記憶する施設データ記憶手段と、前記施設データ記憶手段を参照して、前記複数の目標メッシュ内の施設を抽出する施設抽出手段と、前記抽出された施設を出力する出力手段と、を備える。
【０００９】
好適な実施形態では、道路交通情報を参照して、前記出発地点が属するメッシュ内の仮出発地点から、前記出発地点が属するメッシュから互いに異なる方角に存在する複数のサンプリング地点までのルート検索を行って、前記ルート検索実行時における前記仮出発地点から前記複数のサンプリング地点までの所要時間を算出するルート検索エンジンと、前記仮出発地点から前記複数のサンプリング地点までの所要時間に基づいて、前記出発地点が属するメッシュからの方角別の補正係数を算出する補正手段と、をさらに備え、前記メッシュ抽出手段は、前記方角別の補正係数を用いて前記出発地点が属するメッシュからのメッシュ間所要時間を補正して、補正後のメッシュ間所要時間に基づいて前記目標メッシュを抽出するようにしてもよい。
【００１０】
好適な実施形態では、前記メッシュ間所要時間記憶手段には、平日・土曜日・日曜日・祝日の日種別及び時間帯別のメッシュ間所要時間が記憶されていて、前記メッシュ抽出手段は、前記入力手段が入力を受け付けたときと対応するメッシュ間所要時間を用いて、前記目標メッシュを抽出するようにしてもよい。
【００１１】
好適な実施形態では、前記複数のメッシュでは、予め一つの代表地点が定められていて、各代表地点間のルート検索を行って、代表地点間の所要時間を算出するルート検索エンジンをさらに備え、前記代表地点間の所要時間を前記メッシュ間所要時間として前記メッシュ間所要時間記憶手段に記憶するようにしてもよい。
【００１２】
好適な実施形態では、前記複数のメッシュ内の各代表地点は、それぞれのメッシュの中心点であってもよい。
【００１３】
好適な実施形態では、前記複数のメッシュは、それぞれの範囲が緯度及び経度に基づいて定められていて、前記施設の所在地データは緯度及び経度で定められていて、前記施設抽出手段は、前記メッシュ及び前記施設の所在地データの緯度及び経度を用いて抽出するようにしてもよい。
【図面の簡単な説明】
【００１４】
【図１】本発明の一実施形態に係る検索システムの構成図である。
【図２】施設データ２３０の一例を示す図である。
【図３】メッシュ間の所要時間の説明図である。
【図４】メッシュ間所要時間データ２５０の一例を示す図である。
【図５】補正係数算出の説明図である。
【図６】ユーザ端末装置５の一例を示す。
【図７】検索装置１０の処理手順を示すフローチャートである。
【発明を実施するための形態】
【００１５】
以下、本発明の一実施形態に係る目標時間内に到達可能な施設を検索する検索システムについて、図面を参照して説明する。
【００１６】
図１は、本実施形態に係る検索システムの構成図である。
【００１７】
本システムは、目標時間内に到達可能な施設を検索する検索装置１０と、一以上のユーザ端末装置５とを備え、両者はネットワーク９を介して通信が可能となっている。本システムは、検索装置１０がユーザ端末装置５から出発地点と目標時間とを含むリクエストを受け付けると、その出発地点から目標時間内に到達可能な範囲にある施設の検索を行う。
【００１８】
ユーザ端末装置５は、通信機能を有する端末装置であればよく、例えば、携帯電話機、携帯情報端末、あるいは汎用的なパーソナルコンピュータなどでもよい。ユーザ端末装置５は、液晶パネルなどの表示装置、及びプッシュボタンあるいはポインティングデバイスなどの入力装置を有する。ユーザ端末装置５が携帯電話機などの場合は、無線基地局７との間で無線通信を行う。
【００１９】
検索装置１０は、例えば汎用的なコンピュータシステムにより構成され、以下に説明する検索装置１０内の個々の構成要素または機能は、例えば、コンピュータプログラムを実行することにより実現される。このコンピュータプログラムは、コンピュータ読み取り可能な記録媒体に格納可能である。
【００２０】
検索装置１０は、リクエスト処理部１１と、メッシュ検索部１３と、所要時間補正部１５と、ルート検索エンジン１７と、メッシュ間所要時間データ生成部１９と、地図メッシュデータ記憶部２１と、施設データ記憶部２３と、メッシュ間所要時間記憶部２５と、道路交通情報記憶部２７とを備える。
【００２１】
地図メッシュデータ記憶部２１は、地図を複数のメッシュに区切った地図メッシュデータを記憶する。例えば、地図メッシュデータは、メッシュの識別情報と、各メッシュの範囲を示すデータを含む。メッシュの範囲は、例えば、メッシュの左上の点及び右下の点の緯度及び経度で定義される。
【００２２】
施設データ記憶部２３は、検索対象となる施設の所在地を示す施設データを記憶する。施設データは、例えば、各施設の所在地の緯度及び経度で定義される。施設は、例えば、ゴルフ場、スキー場、テーマパーク、アミューズメント施設、入浴施設（温泉）などがある。施設データ記憶部２３には、複数種類の施設の施設データが記憶されていても良い。
【００２３】
図２は、施設データ２３０の一例を示す図である。同図に示すように、施設データ２３０は、施設名称２３１と、緯度２３２と、経度２３３とを含む。
【００２４】
メッシュ間所要時間記憶部２５は、複数のメッシュ間のおよその移動時間を示すメッシュ間所要時間データを記憶する。
【００２５】
図３は、メッシュ間の所要時間の説明図である。同図は、複数のメッシュに区切られた地図を示す。同図において、各メッシュにはそれぞれのメッシュ番号が記載されている。そして、同図において矢印で示す方向へ移動、つまり、中心のメッシュ（５３３９４５）からそれ以外の各メッシュへ移動したとすると、このときに要するおよその移動時間がメッシュ間の所要時間である。
【００２６】
図４は、メッシュ間所要時間データ２５０の一例を示す図である。同図に示すように、メッシュ間所要時間データ２５０は、出発地のメッシュ番号を縦、目的地のメッシュ番号を横にとったメッシュ番号同士のマトリックスとなっていて、出発地のメッシュから目的地のメッシュまでのメッシュ間の所要時間が記憶されている。
【００２７】
ここで、各メッシュでは、予め一つの代表地点が定められていて、その代表地点間の所要時間をメッシュ間所要時間としてもよい。この代表地点間の所要時間は、後述するように、メッシュ間所要時間データ生成部１９によって算出される。また、メッシュ間所要時間記憶部２５は、平日・土曜日・日曜日・祝日の日種別及び時間帯別のメッシュ間所要時間が記憶されていてもよい。例えば、メッシュ間所要時間記憶部２５には、平日・土曜日・日曜日・祝日の日種別及び時間帯別に図４に示すマトリックスが記憶されていても良い。
【００２８】
図１へ戻ると、道路交通情報記憶部２７は、最新の道路交通情報を記憶する。例えば、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）によって提供される情報を図示しない通信手段で取得して、道路交通情報記憶部２７に記憶しておいても良い。
【００２９】
リクエスト処理部１１は、ユーザ端末装置５から、複数のメッシュのうちのいずれかのメッシュ内の出発地点（例えば緯度及び経度で特定される）と目標時間とを含むリクエストを受け付ける。リクエスト処理部１１は、リクエストを受け付けると、受け付けたリクエストに含まれている出発地点（緯度及び経度）と目標時間をメッシュ検索部１３へ通知して、メッシュ検索を依頼する。
【００３０】
また、リクエスト処理部１１は、施設データ記憶部２３を参照して、メッシュ検索部１３によって抽出された複数の目標メッシュ内に存在する施設を抽出する。例えば、リクエスト処理部１１は、地図メッシュデータ記憶部２１を参照して、各目標メッシュの範囲（緯度及び経度）を取得し、施設データ２３０の緯度２３２及び経度２３３に基づいて、目標メッシュ内の施設を抽出する。リクエスト処理部１１は、ここで抽出された施設を含む、リクエストに対するレスポンスを生成して、ユーザ端末装置５に対して出力する。
【００３１】
メッシュ検索部１３は、メッシュ間所要時間記憶部２５を参照して、出発地点の属するメッシュからのメッシュ間所要時間が目標時間以内の複数の目標メッシュを抽出する。例えば、リクエスト処理部１１から出発地点の緯度及び経度と、目標時間が通知されると、メッシュ検索部１３は、地図メッシュデータ記憶部２１を参照して出発地点の属するメッシュを特定する。そして、そのメッシュを出発地メッシュとして、出発地メッシュからのメッシュ間所要時間が目標時間内の目標メッシュを特定する。メッシュ検索部１３は、目標時間以内の複数の時間単位に区切って、目標メッシュを抽出しても良い。例えば、目標時間が２時間であれば、３０分以下、３０分から１時間以下、１時間から１時間半以下及び１時間半から２時間以下に分けて目標メッシュを抽出しても良い。さらに、後述のように、再度ルート検索をして正確な時間を得る場合には、２時間から２時間半以下の目標メッシュを抽出しても良い。
【００３２】
また、メッシュ検索部１３は、所要時間補正部１５によって算出された方角別の補正係数を用いて出発地点が属するメッシュからのメッシュ間所要時間を補正して、補正後のメッシュ間所要時間に基づいて目標メッシュを抽出してもよい。メッシュ間所要時間の補正については後述する。
【００３３】
所要時間補正部１５は、出発地点が属するメッシュ内の仮出発地点から、出発地点が属するメッシュから互いに異なる方向に存在する複数のサンプリング地点までの所要時間に基づいて、出発地点が属するメッシュからの方向別の補正係数を算出する。
【００３４】
図５は補正係数算出の説明図である。例えば、同図では、出発地点が中心のメッシュ（５３３９４５）内であるとする。このとき、中心メッシュ内の仮出発地点ｓと、４つのサンプリング地点ａ〜ｄとを定める。仮出発地点ｓは、例えば中心メッシュの代表地点でもよいし、その他任意の地点でよい。そして、所要時間補正部１５は、仮出発地点ｓから４つのサンプリング地点ａ〜ｄまでのそれぞれのルート検索及び所要時間の算出をルート検索エンジン１７に指示する。各サンプリング地点ａ〜ｄは、出発地点が属するメッシュから互いに異なる方向に存在する。たとえば、仮出発地点ｓから縦に±ｎメッシュ、横に±ｍメッシュだけずれたメッシュの代表地点としても良い（図５ではｎ＝ｍ＝２）。所要時間補正部１５は、仮出発地点ｓから各サンプリング地点ａ〜ｄまでの所要時間に基づいて、Ａ〜Ｄの４方角への補正係数を決定する。方角Ａ〜Ｄは、それぞれ、仮出発地点ｓから各サンプリング地点ａ〜ｄへ向かう方角である。補正係数は、例えば、サンプリング地点ごとに予め定められている平均所要時間に対して、ここで算出された所用時間が何倍であるかを示す係数でも良い。
【００３５】
メッシュ検索部１３は、上記の方角別の補正係数を用いて、メッシュ間所要時間を補正する。例えば、図５の例ではＡ〜Ｄの４方角に分かれているので、全メッシュを出発地点が属するメッシュとの相対的な位置関係に応じて、各方角に対応するように４分割する。そして、各メッシュの出発地点が属するメッシュからの所要時間を、対応する方角の補正係数を用いて補正する。
【００３６】
ルート検索エンジン１７は、道路交通情報に基づいて、指定された出発地から指定された目的地までのルート検索を行い、所要時間を算出する。例えば、ルート検索エンジン１７は、メッシュ間所要時間データ生成部１９からの指示に従って、各メッシュの代表地点間のルート検索を行って、代表地点間の所要時間を算出する。また、ルート検索エンジン１７は、上述した所要時間補正部１５からの指示に従って、道路交通情報記憶部２７を参照して、出発地点が属するメッシュ内の仮出発地点から、出発地点が属するメッシュから互いに異なる方向に存在する複数のサンプリング地点までのルート検索を行って、ルート検索実行時における仮出発地点から複数のサンプリング地点までの所要時間を算出する。
【００３７】
メッシュ間所要時間データ生成部１９は、メッシュ間所要時間データ２５０を生成する。メッシュ間所要時間データ生成部１９は、まず、ルート検索エンジン１７に代表地点間のルート検索を依頼して、代表地点間の所要時間を取得する。例えば、メッシュ間所要時間データ生成部１９は、一つのメッシュの代表地点を出発地、他の全メッシュの代表地点を目的地とするルート検索の依頼を、全メッシュについて行う。また、メッシュ間所要時間データ生成部１９は、代表地点間の所要時間をメッシュ間所要時間としてメッシュ間所要時間データ２５０を生成し、メッシュ間所要時間記憶部２５に記憶する。つまり、上記のようにして、全メッシュについて、それぞれの代表地点を出発地としたときの他のメッシュの代表地点までの所要時間を、各メッシュ間のおよその移動時間をする。
【００３８】
メッシュ間所要時間データ生成部１９は、ユーザ端末装置５からのリクエストを受け付ける前に、予めメッシュ間所要時間データ２５０を生成しておく。メッシュ間所要時間データ生成部１９は、メッシュ間所要時間データ２５０を、定期または不定期に更新する。メッシュ間所要時間データ生成部１９は、平日・土曜日・日曜日・祝日の日種別及び時間帯別のメッシュ間所要時間データ２５０を生成するために、それぞれ対応する日及び時間帯に、道路交通情報記憶部２７を参照して、メッシュ間所要時間データ２５０を生成してもよい。
【００３９】
次に、上述のような構成を備えたシステムにおける処理手順について説明する。
【００４０】
図６は、ユーザ端末装置５の一例を示す。ユーザ端末装置５の表示部５１には、検索条件入力画面が表示されている。ここで、目標時間５２が設定されている。ユーザ端末装置５がＧＰＳ機能を内蔵するなど、現在位置を特定できるときは、自動的に検出された現在位置を出発地点とすることにより、出発地点の入力を省略できる。ユーザ端末装置５は、現在位置の緯度、経度及び目標時間を含む、この検索条件に従うリクエストを検索装置１０へ送信する。
【００４１】
図７は、検索装置１０の処理手順を示すフローチャートである。
【００４２】
このフローチャートによる処理を行う前提として、予めメッシュ間所要時間データ２５０が生成されている。
【００４３】
まず検索装置１０では、リクエスト処理部１１がユーザ端末装置５から送られてきたリクエストを受け付ける（Ｓ１１）。
【００４４】
リクエスト処理部１１がリクエストを受け付けると、所要時間補正部１５に対して補正係数の算出を指示する。これにより、所要時間補正部１５からの指示に従って、ルート検索エンジン１７が上述の仮出発地点からサンプリング地点までのルート検索を行って、補正係数算出のための方角別の所要時間を算出する（Ｓ１３）。
【００４５】
所要時間補正部１５は、ステップＳ１３で算出された方角別の所要時間から、上述したように方角別の補正係数を算出する（Ｓ１５）。
【００４６】
メッシュ検索部１３が、ステップＳ１５で算出した補正係数を用いてメッシュ検索を行って、出発地点の属するメッシュから目標時間以内の目標メッシュを抽出する（Ｓ１７）。
【００４７】
リクエスト処理部１１が、地図メッシュデータ及び施設データ２３０に基づいて、ステップＳ１７で検索された目標メッシュ内の施設を検索する（Ｓ１９）。そして、ここで検索された施設を含むレスポンスを生成して、ユーザ端末装置５に対して出力する（Ｓ２１）。なお、ステップＳ１９の後に、ＧＰＳ機能などによって自動的に検出された現在位置、または、ユーザによって入力された地点である出発地点から、ステップＳ１９で検索された各施設を到着地点とするルート検索を行い、施設別にその時点における正確な所要時間を得ても良い（Ｓ２０）。この場合は、ステップＳ２０で得た正確な所要時間が目標時間内となる施設のみを含むレスポンスを生成して、ユーザ端末装置５に対して出力する（Ｓ２１）。
【００４８】
これにより、ユーザ端末装置５を利用するユーザは、出発地点から目標時間内に到着できる施設一覧を得ることができる。その結果、例えば、出発地点及び目標時間を決めれば、その範囲で行ける複数の候補施設を知ることができるので、その候補施設の中から好みの施設を見つけだすことができる。
【００４９】
なお、ステップＳ１３及びステップＳ１５は省略可能である。つまり、メッシュ間所要時間データ２５０の補正を行うことは必ずしも必須ではない。また、検索装置１０が複数種類の施設検索に対応しているときは、ユーザ端末装置５が施設種類の指定を受け付けて、指定された施設種類の検索を行うようにすることでもできる。
【００５０】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【００５１】
５      ユーザ端末装置
１０    検索装置
１１       リクエスト処理部
１３       メッシュ検索部
１５       所要時間補正部
１７       ルート検索エンジン
１９       メッシュ間所要時間データ生成部
２１       地図メッシュデータ記憶部
２３       施設データ記憶部
２５       メッシュ間所要時間記憶部
２７       道路交通情報記憶部
【図１】
2010236869.tif 000003
【図２】
2010236869.tif 000004
【図３】
2010236869.tif 000005
【図４】
2010236869.tif 000006
【図５】
2010236869.tif 000007
【図６】
2010236869.tif 000008
【図７】
2010236869.tif 000009